(57)【要約】      （修正有）【課題】犬猫等の排便，排尿対策として使用するペットおむつ等の装着体用のサスペンダーを提供する。【解決手段】ペット１１の首輪１３と、ペット胴体後部１４に装着される着脱可能のおむつ等の装着体との間に取り付けられる伸縮可能なサスペンダー１０であって、該サスペンダー１０は一端が取付金具１６を介して、前記ペットの首輪１３に連結され、他端部が取付金具１７を介して前記ペット胴体後部１４に装着されるおむつ１５等の装着体用のペット背骨部に当たるシャーリング開口端部１５ａと連結される帯状の中央帯部１０ａを有してなり、前記中央帯部１０ａの略中間にはそれぞれの一端部が前記中央帯部１０ａに固定され、且つそれぞれの他端部が取付金具１７を介して前記ペットの腹部側のおむつシャーリング開口端部１５ａと連結する左，右側帯部１８，１９がそれぞれ設けられた三叉部２０を構成した。【選択図】図３
0003166402.tif 000002
【実用新案登録請求の範囲】
【請求項１】
ペットの首部に装着される脱着可能な首輪と、ペット胴体後部に装着される着脱可能のおむつ等の装着体との間に取り付けられる伸縮可能なサスペンダーであって、該サスペンダーは一端が取付金具を介して、前記ペットの首輪の後部に連結され、他端部が取付金具を介して前記ペット胴体後部に装着される装着体のペット背骨部に当たるシャーリング開口端部と連結される帯状の中央帯部を有してなり、前記中央帯部の略中間にはそれぞれの一端部が前記中央帯部に固定され、且つそれぞれの他端部が取付金具を介して前記ペットの腹部側の装着体のシャーリング開口端部と連結するように分岐された左，右側帯部がそれぞれ設けられた三叉部を構成すると共に、前記サスペンダーの前記中央帯部及び前記左，右側帯部はそれぞれ個別に長さ調節が可能になっていることを特徴とするペットおむつ等の装着体用のサスペンダー。
【考案の詳細な説明】
【技術分野】
【０００１】
本考案は、犬猫等の排便，排尿対策として使用するペットおむつ用或いはファッション用パンツ等の装着体に使用するサスペンダーに関するもので、特にペットに装着したおむつの脱着、使用中のずれ防止を改善したペットおむつ等の装着体用のサスペンダーに関するものである。
【背景技術】
【０００２】
犬猫等のペットを飼育している場合、ペットにファッション用パンツ等をはかせたり、ペット等が病気や老衰によってうまく排便，排尿ができなくなってしまった場合にペットに対しておむつ等の装着体を使用しているのが現状である。
そして、前記おむつはペットの胴体の後部の臀部側に装着するものであるが、前記おむつとしては、後部位に尻尾を通す貫通穴を備えた形式のパンツ型のおむつ、及びペットの背中側カバー部と腹部側カバー部とペットの後脚間の股下部分に位置する股下カバー部とをそれぞれ面ファスナーで連結する面ファスナー式のペット用おむつが市販されており、これらパンツ型おむつ及び面ファスナー式おむつには、おむつ装着状態の保持を確実にするためにゴム状の紐バンドが使用されるものが知られている。
【先行技術文献】
【特許文献】
【０００３】
【特許文献１】登録実用新案第３０７９５３２号公報
【特許文献２】特開平０９−１４０２８７号公報
【考案の概要】
【考案が解決しようとする課題】
【０００４】
しかるに、従来のおむつは、後脚部と臀部だけに装着されるおむつであって、雌犬の排便の排尿には好適するが、雄犬の排尿ににあっては、おしめがずれるなどして吸収効果は少なくなるため、ペットの胴体部に装着したおむつの保持部を更にゴム状の紐バンドなどで締め付けるため、ペットにとっては窮屈であり後部がおしめで盛り上がる等、見栄え・ファッション性の面で問題がある。
【０００５】
また、おむつをサスペンダーで頭を通して前後を固定するものが開発されてはいるが、雄犬の排尿に対しては胴体部をゴム状の紐バンド等で締め付けられた状態でサスペンダーのベルトの内側にペットシーツ等を挟んで使用するなどしているため、おしめで締め付けられた位置やサスペンダー部分のペットシーツを挟む保持部位の確実性、安定性は低く、ずれやすく、且つ尿の吸収保持力が薄れ、動きの激しい犬に対しての排便の排尿の効果は極めて薄いものといわざるを得ない。
【０００６】
また、上述のように従来のおしめの中には、胴体部分に面ファスナーを使用したおむつを装着しているものがあるが、腹部をゴム状バンドなどで締め付けないという点では上記おむつ装着方法とは異なっており、いずれも胴体部に装着するパンツ方式と同じ位置に装着されるものであるが、雄犬の排尿に対してはサスペンダーの止め位置が１箇所或いは多くて２箇所となっているため、おむつの保持力の安定性・確実性を欠くと共に、装着部がずれやすく排尿・排便の吸収能力の効果が薄いという問題点がある。
【０００７】
本考案は、前述した問題点を改良すべくなされたもので、ペットの後脚の股部と腰部・臀部に装着されるファッションパンツ或いはおむつ等の装着体において、おむつ等の装着体の装着保持力を確実なものとするサスペンダーを提供しようとするものである。
【０００８】
本考案は、ペットの首輪と前記おむつのシャーリング開口部との間に長さ調節を可能にした伸縮自在のサスペンダーを配設してなり、前記サスペンダーのおむつのシャーリング開口端部との取付部を三叉にして、中央帯部をペットの背骨位置に当たるおしめシャーリング開口端部と連結し、且つ左右両側部をペットの左右側腹位置に当たるシャーリング開口端部と連結することで、排便はもとより雄犬の排尿においてもおしめがずれることがなく、排尿の捕集吸収を完全なものとし、ペット自体の排便、排尿に対する漏れを未然に防止し、室内或いは車中などにおけるペットの粗相被害や、汚染による掃除の手間を防止できるようにしたペットおむつ用のサスペンダーを提供することを目的とするものである。
【課題を解決するための手段】
【０００９】
上記目的を達成するために、請求項１の考案は、ペットの首部に装着される脱着可能な首輪と、ペット胴体後部に装着される着脱可能のおむつ等の装着体との間に取り付けられる伸縮可能なサスペンダーであって、該サスペンダーは一端が取付金具を介して、前記ペットの首輪の後部に連結され、他端部が取付金具を介して前記ペット胴体後部に装着されるおむつ等の装着体のペット背骨部に当たるシャーリング開口端部と連結される中央帯部を有してなり、前記中央帯部の略中間にはそれぞれの一端部が前記中央帯部に固定され、且つそれぞれの他端部が取付金具を介して前記ペットの腹部側の前記装着体のシャーリング開口端部と連結するように分岐された左右側帯部がそれぞれ設けられた三叉部を構成すると共に、前記サスペンダーの前記中央帯部及び前記左右側帯部はそれぞれ個別に長さ調節が可能になっていることを特徴とするものである。
【考案の効果】
【００１０】
本考案に係るペットのおむつ等の装着体用サスペンダーは、ペットの首部に装着される脱着可能な首輪と、ペット胴体後部に装着される着脱可能のおむつ等の装着体との間に取り付けられる伸縮可能なサスペンダーであって、該サスペンダーは一端が取付金具を介して、前記ペットの首輪の後部に連結され、他端部が取付金具を介して前記ペット胴体後部に装着されるおむつ等の装着体のペット背骨部に当たるシャーリング開口端部と連結される中央帯部とペットの側腹部に当たるおむつ等の装着体のシャーリング開口端部と連結するように分岐された左右側帯部がそれぞれ設けられてた三叉部を有する構成としたので、ペットの排便はもとより雌犬の排尿においてもおむつ等の装着体がずれることがなく、排尿に対する吸収を完全なものとすることができると共に、雄雌に関係なくペット自体の排便、排尿に対する漏れを未然に防ぎ室内・車中等の粗相被害や掃除の手間を防止できる効果がある。
【図面の簡単な説明】
【００１１】
【図１】本考案の実施の形態におけるペットおむつ等の装着体用のサスペンダーの全体平面図。
【図２】本考案の実施の形態におけるペットおむつ等の装着体用のサスペンダーの取付金具の斜視図。
【図３】本考案の実施の形態におけるペットおむつ等の装着体用のサスペンダーをペットに装着した使用状態を示す概略斜視図。
【考案を実施するための最良の形態】
【００１２】
次に、本考案に係るペットおむつ等の装着体用のサスペンダーの実施の形態について、ペットに装着される装着体がおむつである実施形態の図面を参照して説明する。
なお、本考案のペットおむつ等の装着体用のサスペンダーは、以下に説明する実施の形態に限定されるものではない。
【００１３】
本考案に係るペットおむつ等の装着体用のサスペンダー１０は、ペット１１の首部１２に装着される脱着可能な首輪１３と、ペット胴体後部１４に装着される着脱可能の装着体であるおむつ体１５との間に取り付けられる伸縮可能なサスペンダーであって、該サスペンダー１０は一端が取付金具１６を介して、前記ペット１１の首輪１３の後部に連結され、他端部が取付金具１７を介して前記ペット胴体後部１４に装着される装着体としてのおむつ体１５のペット背骨部に当たるシャーリング開口端部１５ａと連結される中央帯部１０ａを有してなり、前記中央帯部１０ａの略中間には一端部が前記中央帯部１０ａに固定され、且つ他端部が取付金具１７を介して前記ペット１１の腹部側のおむつ体１５のシャーリング開口端部１５ｂ，１５ｂと連結するように分岐された左側帯部１８及び右側帯部１９がそれぞれ設けられて三叉部２０を構成すると共に、前記左右側帯部１８，１９の他端部には取付金具１７，１７がそれぞれ設けられている。
また、前記サスペンダー１０の前記中央帯部１０ａ及び前記左右側帯部１８，１９はそれぞれ個別に長さ調節が可能な調節金具２３，２４，２５が設けられている。
【００１４】
前記サスペンダー１０の全体長さは小型犬，中型犬，大型犬或いは猫向け使用態様においてそれぞれ異なるが、大型犬用では全長が略４５０ｍｍ、幅長が２５ｍｍの大きさの帯状体が好適し、長さを調節しながら使用に供するものである。
また、前記サスペンダー１０はゴム状の扁平織からなり、伸縮性を有する材質で形成されている。
【００１５】
更に前記サスペンダー１０の取付金具１６，１７は、連結挟持クリップ部２６とこの連結挟持クリップ部２６の全体を覆うようなカバー体２７が設けられた構成となっているので、取付金具１６，１７がペット１１の皮膚を傷つけることが防止できる。
【００１６】
本考案は、以上のような構成であって、使用にあたっては、ペットである犬に首輪を装着し、次に犬の胴体後部に面ファスナー式のおむつを装着する。  装着完了後に前記サスペンダー１０の犬の首方向に位置する一端を、取付金具１６を介して犬の首輪１３に連結し、次に、他端部を取付金具１７を介して、前記中央帯部１０ａを前記ペット胴体後部１４に装着されるおむつ体１５のペット背骨部に当たるシャーリング開口端部１５ａと連結する。
【００１７】
そして、前記中央帯部１０ａの略中間にそれぞれ分岐して設けた左側帯部１８及び右側帯部１９を、取付金具１７を介して前記ペット１１の腹部両側のおむつシャーリング開口端部１５ｂ，１５ｂと連結することで装着が簡単に行なうことができる。
【００１８】
以上のような本考案によれば、犬の胴体後部に装着されたおむつ体はペット背骨部に当たるシャーリング開口端部とペットの両側腹部に当たるおむつシャーリング開口端部にサスペンダーの中央帯部１０ａと左右側帯部とを連結した三叉部を有する構成としたので、ペットの排便はもとより雌犬の排尿においてもおしめがずれることがなく、排尿に対する吸収を完全なものとすることができると共に、雄雌に関係なくペット自体の排便、排尿に対する漏れを未然に防ぎ室内・車中等の粗相被害や掃除の手間を防止できる効果がある。
なお、本考案のペットおむつ等の装着体用のサスペンダーの実施例をペットに装着したおむつにサスペンダーを使用した場合について説明したが、前記サスペンダーはペットおむつ用に限定されることなく、ペットにファッション性を持たせるために装着するパンツ等の装着体に使用することができることは勿論である。
【符号の説明】
【００１９】
１０    サスペンダー  
１０ａ    中央帯部
１０ｂ，１０ｃ  左，右側帯部
１１    ペット
１２    首部
１３    首輪
１４    ペット胴体後部
１５    おむつ本体
１５ａ，１５ｂ  シャ―リング開口端部
１６    取付金具
１７    取付金具
２３，２４，２５    調節金具
２６    連結挟持クリップ部
２７    カバー部
【図１】
0003166402.tif 000003
【図２】
0003166402.tif 000004
【図３】
0003166402.tif 000005